(57)【要約】  液晶材料を使用する前に予め液晶材料から異物を捕捉することができる蓋体及び異物捕捉方法を提供する。筒状をなす周部（２１）の一側の開口を塞ぐ底部（２２）を備え、容器に設けた筒口に周部（２１）を被せ、前記筒口を底部（２２）により覆う蓋体（２０）において、周部（２１）の内面に底部（２２）と斜行する方向に設けられ、周部（２１）の内側を底部（２２）の側の第１空間と底部（２２）の反対側の第２空間とに仕切る仕切板（２１１）を備え、仕切板（２１１）の底部（２２）に最も近接した部分に、前記第１空間と第２空間とを連通する連通部（２１３）が設けられている。
2015125244.tif 000002
【特許請求の範囲】
【請求項１】
筒状をなす周部と、  該周部の一側の開口を塞ぐ底部と  を備え、  液晶材料を収容する容器に設けた筒口に前記周部を被せ、前記筒口を前記底部により覆う蓋体において、  前記周部の内面に前記底部と斜行する方向に設けられ、前記周部の内側を前記底部の側の第１空間と前記底部の反対側の第２空間とに仕切る仕切板を備え、  前記仕切板の前記底部に最も近接した部分に、前記第１空間と第２空間とを連通する連通部が設けられている  ことを特徴とする蓋体。
【請求項２】
前記仕切板は、前記連通部を中心とし、前記底部側に窪んだ漏斗状をなす  ことを特徴とする請求項１に記載の蓋体。
【請求項３】
前記連通部は前記周部の付近に設けられている  ことを特徴とする請求項１又は請求項２に記載の蓋体。
【請求項４】
前記仕切板の前記底部に最も近接した部分に、前記第１空間内で前記周部から内向きに張り出す張出部を備え、  前記連通部は前記張出部に設けられている  ことを特徴とする請求項３に記載の蓋体。
【請求項５】
前記連通部は貫通孔又はスリットである  ことを特徴とする請求項１から請求項４までのいずれか１つに記載の蓋体。
【請求項６】
前記底部は前記周部から着脱可能に構成されている  ことを特徴とする請求項１から請求項５までのいずれか１つに記載の蓋体。
【請求項７】
前記底部は有底円筒状をなし、  前記周部は円筒状をなし、  前記底部は該底部の開口側内周が前記周部の一端部外周に螺合することにより着脱可能に構成されている  ことを特徴とする請求項６に記載の蓋体。
【請求項８】
前記容器内の液晶材料に含まれる異物を、該容器の筒口に装着した請求項１から請求項７までのいずれか１つに記載の蓋体により捕捉する異物捕捉方法であって、  前記蓋体の装着側が下側となるように前記容器を倒立させ、  前記液晶材料内で沈降する異物を、前記仕切板に沿って移動させて前記連通部を経て前記第１空間内に導入し、該第１空間内に捕捉する  ことを特徴とする異物捕捉方法。
【請求項９】
前記容器を倒立させた場合、該容器を振動させる  ことを特徴とする請求項８に記載の異物捕捉方法。
【請求項１０】
前記蓋体における前記連通部の第２空間側開口が該連通部の第１空間側開口よりも上側に位置するように該蓋体の姿勢を維持して、倒立させた前記容器を倒立前の姿勢に戻す  ことを特徴とする請求項８又は請求項９に記載の異物捕捉方法。
【発明の詳細な説明】
【技術分野】
【０００１】  本願は異物を捕捉する蓋体及び異物捕捉方法に関する。
【背景技術】
【０００２】  液晶材料から異物を除去する技術がある（例えば、特許文献１参照）。特許文献１に係る液晶滴下装置は、フィルタにより液晶材料に含まれた異物を濾過し、除去する。
【先行技術文献】
【特許文献】
【０００３】
【特許文献１】国際公開第２０１２／１７６６８１号パンフレット
【発明の概要】
【発明が解決しようとする課題】
【０００４】  しかしながら、特許文献１に係る液晶滴下装置の場合、フィルタが目詰まりを起こしたとき、液晶材料から異物を濾過することができなくなる。続けて液晶滴下装置を稼働させるためには、フィルタを交換しなければならず、作業効率が低下する。【０００５】  本願は、かかる事情に鑑みてなされたものである。その目的は、液晶材料を使用する前に予め液晶材料から異物を捕捉することができる蓋体及び異物捕捉方法を提供することにある。
【課題を解決するための手段】
【０００６】  本願に係る蓋体は、筒状をなす周部と、該周部の一側の開口を塞ぐ底部とを備え、液晶材料を収容する容器に設けた筒口に前記周部を被せ、前記筒口を前記底部により覆う蓋体において、前記周部の内面に前記底部と斜行する方向に設けられ、前記周部の内側を前記底部の側の第１空間と前記底部の反対側の第２空間とに仕切る仕切板を備え、前記仕切板の前記底部に最も近接した部分に、前記第１空間と第２空間とを連通する連通部が設けられていることを特徴とする。【０００７】  本願に係る蓋体では、液晶材料を収容する容器に設けた筒口を覆う有底円筒状をなしている。蓋体は、筒状の周部と、周部の一側の開口を塞ぐ底部とを備えている。周部の内面に底部と斜交する方向に仕切板が設けられている。仕切板は、周部の内側を底部の側の第１空間と、底部の反対側の第２空間とに仕切っている。仕切板において底部に最も近接した部分に、第１空間と第２空間とを連通する連通部が設けられている。  これにより、異物を含む液晶材料が収容された容器に蓋体を装着し、容器に対して蓋体の側が下方に位置するように容器を倒立させた場合、液晶材料よりも比重が大きい異物を第１空間に捕捉することができる。【０００８】  本願に係る蓋体は、前記仕切板は、前記連通部を中心とし、前記底部側に窪んだ漏斗状をなすことを特徴とする。【０００９】  本願に係る蓋体では、仕切板は連通部を中心とした漏斗状をなし、底部側に窪んでいる。  これにより、液晶材料中を沈降する異物は、連通部に集められて、効率よく第１空間に捕捉される。【００１０】  本願に係る蓋体は、前記連通部は前記周部の付近に設けられていることを特徴とする。【００１１】  本願に係る蓋体では、連通部は周部の付近に設けられている。  これにより、蓋体に捕捉された異物を除去するために、容器の上下を逆転させる場合、逆転させる方位を選択することにより、異物が蓋体から容器へ逆流することを防ぐことができる。【００１２】  本願に係る蓋体は、前記仕切板の前記底部に最も近接した部分に、前記第１空間内で前記周部から内向きに張り出す張出部を備え、前記連通部は前記張出部に設けられていることを特徴とする。【００１３】  本願に係る蓋体では、仕切版において底部に最も近接した部分に、第１空間内で周部から内向きに張り出す張出部を備えている。連通部は張出部に設けられている。  これにより、仕切板及び張出部内を曲がって連通するように連通部を設け、かつ第１空間側の連通部の開口を張出部の内側壁に設けることで、容器の上下を逆転させた場合、異物が蓋体から容器へ逆流することをより効果的に防ぐことができる。【００１４】  本願に係る蓋体は、前記連通部は貫通孔又はスリットであることを特徴とする。【００１５】  本願に係る蓋体では、連通部は貫通孔又はスリットである。  これにより、液晶材料中を沈降する異物は貫通孔又はスリットに集められ、第１空間に捕捉される。【００１６】  本願に係る蓋体は、前記底部は前記周部から着脱可能に構成されていることを特徴とする。【００１７】  本願に係る蓋体では、底部は周部に対して着脱可能に構成されている。  これにより、異物を蓋体に捕捉した場合、蓋体を容器からはずし、容器からはずした蓋体の底部を周部からはずして、蓋体に捕捉した異物を容易に捨てることができる。【００１８】  本願に係る蓋体は、前記底部は有底円筒状をなし、前記周部は円筒状をなし、前記底部は該底部の開口側内周が前記周部の一端部外周に螺合することにより着脱可能に構成されていることを特徴とする。【００１９】  本願に係る蓋体では、底部は有底円筒状をなし、周部は円筒状をなしている。底部の開口側内周と、周部の一端部外周とが螺合することで、底部は周部に対して着脱可能である。  これにより、周部に対して底部を回転させて、底部を周部から容易にはずすことができる。【００２０】  本願に係る異物捕捉方法は、前記容器内の液晶材料に含まれる異物を、該容器の筒口に装着した上記に記載の蓋体により捕捉する異物捕捉方法であって、前記蓋体の装着側が下側となるように前記容器を倒立させ、前記液晶材料内で沈降する異物を、前記仕切板に沿って移動させて前記連通部を経て前記第１空間内に導入し、該第１空間内に捕捉することを特徴とする。【００２１】  本願に係る異物捕捉方法では、上記に記載の蓋体を用いて、容器内の液晶材料に含まれる異物を捕捉する。蓋体の装着側が下側となるように容器を倒立させる。液晶材料内を沈降する異物は、仕切板に沿って連通部へ移動され、連通部を経て第１空間内に捕捉される。  これにより、液晶材料よりも比重が大きい異物を蓋体の第１空間内に捕捉することができる。【００２２】  本願に係る異物捕捉方法は、前記容器を倒立させた場合、該容器を振動させることを特徴とする。【００２３】  本願に係る異物捕捉方法では、容器を倒立させた場合、容器を振動させる。  これにより、液晶材料中を沈降する異物が容器の内壁に付着した場合、異物を容器の内壁から剥離させることができる。【００２４】  本願に係る異物捕捉方法は、前記蓋体における前記連通部の第２空間側開口が該連通部の第１空間側開口よりも上側に位置するように該蓋体の姿勢を維持して、倒立させた前記容器を倒立前の姿勢に戻すことを特徴とする。【００２５】  本願に係る異物捕捉方法では、倒立させた容器を倒立前の姿勢に戻す。その際に、蓋体における連通部の第２空間側開口が連通部の第１空間側開口よりも上側に位置するように蓋体の姿勢を維持する。  これにより、倒立させた容器を倒立前の姿勢に戻す場合、第１空間に捕捉された異物が重力の作用で第２空間へ逆流することを阻止することができる。
【発明の効果】
【００２６】  本願に係る蓋体及び異物捕捉方法によれば、液晶材料を使用する前に予め液晶材料から異物を捕捉することができる。
【図面の簡単な説明】
【００２７】
【図１】液晶瓶及び蓋体の説明図である。
【図２】蓋体の縦断面図である。
【図３】蓋体を一側から見た状態の説明図である。
【図４】蓋体を他側から見た状態の説明図である。
【図５】異物捕捉方法の手順の概要を示す説明図である。
【図６】倒立状態の液晶瓶及び蓋体において、異物が中空部へ移動する様子を概略的に示す説明図である。
【図７】中空部内における異物の移動を示す説明図である。
【発明を実施するための形態】
【００２８】  実施の形態に係る容器及び蓋体を、その図面を参照して説明する。容器には液晶材料が収容される。容器は、液晶材料を自身に注入し、注入した液晶材料を取り出すための開口部を有している。蓋体は容器の開口部を閉塞するものである。容器内の液晶材料を使用するために、蓋体の開け閉め作業が行われる時又は容器内の液晶材料から空気を抜く脱泡作業の時、容器内の液晶材料に異物が混入する場合がある。また、容器の底に残った液晶材料を回収する際にも、液晶材料に異物が混入する場合がある。蓋体は、液晶材料に混入した異物を捕捉する機能を有している。
【００２９】  図１は、液晶瓶１０及び蓋体２０の説明図である。図１は、液晶瓶１０及び蓋体２０を側方から見た様子を示している。液晶瓶１０は、液晶材料を収容する容器の一例である。液晶瓶１０は、例えばガラス製である。液晶瓶１０の高さは、例えば２０ｃｍである。  液晶瓶１０の下部及び中部は、有底円筒状をなす。液晶瓶１０の上部は、肩部１１及び瓶口部１２を含む。肩部１１は、上側へ向かって窄んだ形状をなし、側面視では斜め上方に膨らんだ円弧状をなす。瓶口部１２は、円筒状をなし、肩部１１の中央かつ上側に設けられている。瓶口部１２の外周面には、螺旋状の雄ねじが設けられている。
【００３０】  液晶瓶１０に収容されている液晶材料には、異物３０が含まれている場合がある。異物３０は、液晶材料の比重０．９８〜１．０１よりも大きい比重を有している。異物３０は、例えばポリ塩化ビニル（１．１６〜１．５８）、アクリル樹脂（１．１７〜１．２８）、ナイロン（登録商標）（１．０７〜１．４２）、フェノール樹脂（１．２１〜１．３０）等である。括弧内の数値は比重である。ここでの比重は、ある物質の密度と摂氏４度の蒸留水の密度との比である。異物３０の大きさは、例えば１０〜５００μｍである。  異物３０の比重は液晶材料の比重よりも大きいため、図１では異物３０が液晶瓶１０の底付近に所在する。なお、図１における異物３０は、大きさが誇張して描かれている。
【００３１】  図２は、蓋体２０の縦断面図である。蓋体２０は、液晶瓶１０の瓶口部１２を覆う器具であり、例えば合成樹脂製である。蓋体２０は、概略有底円筒状をなす。蓋体２０は、側壁部（周部）２１及び底壁部（底部）２２を含む。側壁部２１は、円筒状をなし、その内部に液晶材料に混入した異物を捕捉するための構造が設けられている。側壁部２１と底壁部２２とは、着脱可能に構成されている。
【００３２】  底壁部２２は、有底円筒状をなす。底壁部２２は、側壁２２１及び底壁２２２を含む。側壁２２１は、円筒状をなす。側壁２２１の高さは、側壁部２１の高さよりも低い。側壁２２１の外径は、側壁部２１の外径と略同一である。ただし、側壁部２１上部の外径は、側壁２２１の外径よりも僅かに小さい。また、外径が僅かに小さい側壁部２１上部の高さは、側壁２２１の高さより僅かに高い。そのため、側壁部２１と底壁部２２とを結合した場合、蓋体２０には外観上、側壁２２１とその下の側壁部２１との間にリング状の溝が形成されている。  底壁２２２は、円板状をなし、底壁部２２の天井を構成している。
【００３３】  側壁部２１は、仕切板２１１を含む。仕切板２１１は、側壁部２１の開口面又は底壁部２２の底壁２２２と斜交する方向に、側壁部２１の内壁面に設けられている。図２における蓋体２０の上部には、仕切板２１１、側壁部２１及び底壁部２２の底壁２２２で区画された中空部（第１空間）２１２が生じている。
【００３４】  底壁２２２に最も近接した仕切板２１１の部分から底壁２２２側の空間には、仕切板２１１の部分と、側壁部２１の内面とから夫々底壁２２２側及び内側に張り出した張出部２１４が設けられている（図３参照）。底壁２２２に最も近接した仕切板２１１の部分と、張出部２１４とには、貫通孔２１３が設けられている。図２に示すように、貫通孔２１３は、仕切板２１１上側の中空部２１２と、仕切板２１１下側の空間（第２空間）とを連通する機能を有している。図２の断面上、貫通孔２１３は、逆Ｊ字状をなす。図２では、貫通孔２１３における下側の開口は、下方に向かって開いている（図４参照）。図２では、貫通孔２１３における上側の開口は、中空部２１２に向かって開いている（図３参照）。
【００３５】  図３は、蓋体２０を一側から見た状態の説明図である。図３では、側壁部２１と底壁部２２とを分離した状態の蓋体２０を描いている。図３は、側壁部２１の一部を破断して、側壁部２１の内部を斜めの一側から示している。側壁部２１の下部内面に螺旋状の雌ねじが設けられている。液晶瓶１０における瓶口部１２の雄ねじと、蓋体２０の雌ねじとが螺合及び螺合をはずすことにより、蓋体２０は液晶瓶１０の瓶口部１２に装着及び離脱される。
【００３６】  図４は、蓋体２０を他側から見た状態の説明図である。図４では、図３の状態の蓋体２０を倒立させて、側壁部２１と底壁部２２とを分離した状態の蓋体２０を描いている。図４は、側壁部２１の一部を破断して、側壁部２１の内部を斜めの他側から示している。底壁部２２の側壁２２１内面には雌ねじが設けられている。側壁部２１の上部外面に螺旋状の雄ねじが設けられている。底壁部２２の雌ねじと、側壁部２１の雄ねじとが螺着及び螺合をはずすことにより、底壁部２２は側壁部２１の一端部に装着及び離脱される。
【００３７】  図３の側壁部２１を倒立させた状態の図４では、仕切板２１１の表面は、下方に撓んだ曲面をなす。図４に示すように、仕切板２１１の表面はどの箇所も貫通孔２１３に向かって傾斜した漏斗状をなしている。そのため、仕切板２１１は、図４では下方に凹んでおり、図３では上方に盛り上がっている。
【００３８】  次に、液晶瓶１０及び蓋体２０を用いて、液晶材料に混入した異物３０を捕捉する方法について説明する。以下では、異物３０は、蓋体２０の中空部２１２に捕捉される。  図５は、異物捕捉方法の手順の概要を示す説明図である。図５における矢印は、手順の順序を示している。まず、液晶材料が収容された液晶瓶１０を準備する。瓶口部１２が上側に位置する状態の液晶瓶１０の瓶口部１２に、蓋体２０を装着する。蓋体２０が装着された液晶瓶１０を倒立させて、例えば半日放置する。
【００３９】  次に、蓋体２０が装着された液晶瓶１０の上下を逆転させる。液晶瓶１０から蓋体２０をはずす。これにより、液晶瓶１０内の液晶材料からの異物３０の除去が確実となる。  液晶瓶１０からはずした蓋体２０の底壁部２２を蓋体２０の側壁部２１から更にはずす。蓋体２０の中空部２１２に貯留されている異物３０を捨てる。異物３０を捨てた場合、蓋体２０は、洗浄により再利用が可能である。
【００４０】  異物３０が液晶材料中を沈降し、中空部２１２まで移動する間に、異物３０は液晶瓶１０及び蓋体２０の内面に付着する虞がある。異物３０が付着する液晶瓶１０及び蓋体２０の内面部分として、例えば液晶瓶１０の肩部１１、仕切板２１１の表面及び貫通孔２１３の内面が考えられる。そこで、異物３０が液晶瓶１０及び蓋体２０の内面に付着しないようにするため、あるいは液晶瓶１０及び蓋体２０の内面に付着した異物３０を剥離するため、蓋体２０が装着された液晶瓶１０を倒立させて放置している間、液晶瓶１０及び蓋体２０を振動させる。液晶瓶１０を振動させる方法は、例えば超音波を用いた振動である。
【００４１】  図６は、倒立状態の液晶瓶１０及び蓋体２０において、異物３０が中空部２１２へ移動する様子を概略的に示す説明図である。液晶材料に混入した異物３０は、重力の作用により液晶瓶１０の下方へ沈降する。仕切板２１１まで液晶材料中を沈降した異物３０は、仕切板２１１の傾斜方向に沿って貫通孔２１３の開口へ移動する。異物３０は、図６ではＪ字状をなす貫通孔２１３を通過して中空部２１２に捕捉される。
【００４２】  図７は、中空部２１２内における異物３０の移動を示す説明図である。図７は、液晶瓶１０及び蓋体２０を倒立状態から上下を逆転させる場合、重力の作用により、異物３０が中空部２１２上部から中空部２１２下部へ移動する様子を示している。中空部２１２下部へ移動した異物３０は、中空部２１２下部の窪みに集積している。
【００４３】  液晶瓶１０及び蓋体２０を倒立状態から上下を逆転させた倒立前の状態に戻す場合、せっかく中空部２１２に捕捉した異物３０が液晶材料と共に貫通孔２１３を通って液晶瓶１０へ逆流する虞がある。そこで、液晶瓶１０及び蓋体２０を倒立状態から倒立前の状態に戻す場合、貫通孔２１３の液晶瓶１０側開口が貫通孔２１３の中空部２１２側開口よりも上方に位置する状態で、液晶瓶１０及び蓋体２０を起立させる。これにより、中空部２１２から液晶瓶１０への異物３０の逆流を阻止することができる。そのためには、蓋体２０の中心から見て貫通孔２１３が設けられた方向又は蓋体２０内における貫通孔２１３の相対的な位置を示す印を、例えば側壁部２１の外周面部分に付してもよい。液晶瓶１０及び蓋体２０を倒立状態から倒立前の状態に戻す場合、当該印が付された側が上向きになるように、液晶瓶１０及び蓋体２０の上下を逆転させる。
【００４４】  本実施の形態では、蓋体２０は液晶瓶１０の瓶口部１２を閉塞した。しかし、蓋体２０は液晶材料以外の物質を収容する容器を閉塞してもよい。すなわち、容器に収容された溶液から、当該溶液よりも比重が大きい異物を捕捉するために、蓋体２０は利用されてもよい。
【００４５】  本実施の形態では、仕切板２１１は漏斗状をなしていた。しかし、仕切板２１１は、底壁２２２と斜交する方向に延びた平板であってもよい。
【００４６】  本実施の形態では、中空部２１２と液晶瓶１０内部の空間とを連通する連通部は、貫通孔２１３であった。しかし、当該連通部は、貫通孔２１３を側壁部２１の内周面に沿って拡大したスリットであってもよい。
【００４７】  本実施の形態では、貫通孔２１３は、仕切板２１１の周縁部に設けられていた。しかし、貫通孔２１３は、仕切板２１１の例えば略中央に設けられてもよい。かかる場合、倒立状態における仕切板２１１の形状を側壁部２１の中心軸に対して回転対称な漏斗状にすればよい。
【００４８】  本実施の形態では、底壁部２２は有底円筒状をなしていた。しかし、底壁部２２は円板状をなしていてもよい。かかる場合、底壁部２２と側壁部２１との固定構造は、雄ねじと雌ねじとによる螺合ではなくてもよい。例えば、底壁部２２と側壁部２１との固定構造は、容器の縁と蓋体に設けられた溝とが勘合して蓋と容器とが固定されるタッパー（登録商標）の固定構造と同じでもよい。  あるいは、底壁部２２は円柱状をなしていてもよい。かかる場合、底壁部２２と側壁部２１との固定構造は、例えば側壁部２１の内面に対する底壁部２２の嵌合でもよい。
【００４９】  本実施の形態では、異物３０を蓋体２０に捕捉するために、液晶瓶１０を倒立させた。しかし、異物３０を蓋体２０に捕捉するために、遠心分離機を用いてもよい。液晶瓶１０に対して蓋体２０の方向に遠心力が作用するように、液晶瓶１０を遠心分離機にセットして、遠心分離機を駆動する。これにより１Ｇ以上の大きさの遠心力を液晶材料及び異物３０に付与することにより、異物３０を蓋体２０に捕捉する時間を短縮することができる。
【００５０】  蓋体２０によれば、液晶材料を使用する前に予め液晶材料から異物３０を捕捉することができる。  重力の作用により、液晶材料中を沈降する異物３０は、蓋体２０の貫通孔２１３に集められ、貫通孔２１３から蓋体２０の中空部２１２に捕捉される。その後、蓋体２０を液晶瓶１０から取り外すことにより、異物３０は液晶材料から確実に除去される。
【００５１】  開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【００５２】  実施の形態で記載されている技術的特徴（構成要件）は、お互いに組合せ可能であり、組み合わせすることにより、新しい技術的特徴を形成することができる。
【符号の説明】
【００５３】  １０    液晶瓶  １２    瓶口部  ２０    蓋体  ２１    側壁部（周部）  ２１１  仕切板  ２１２  中空部（第１空間）  ２１３  貫通孔（連通部）  ２１４  張出部  ２２    底壁部（底部）  ２２１  側壁  ２２２  底壁  ３０    異物
【図１】
2015125244.tif 000003
【図２】
2015125244.tif 000004
【図３】
2015125244.tif 000005
【図４】
2015125244.tif 000006
【図５】
2015125244.tif 000007
【図６】
2015125244.tif 000008
【図７】
2015125244.tif 000009
【手続補正書】
【提出日】平成28年6月23日(2016.6.23)
【手続補正１】
【補正対象書類名】明細書
【補正対象項目名】００４７
【補正方法】変更
【補正の内容】
【００４７】
本実施の形態では、貫通孔２１３は、仕切板２１１の周縁部に設けられていた。
【手続補正２】
【補正対象書類名】特許請求の範囲
【補正対象項目名】全文
【補正方法】変更
【補正の内容】
【特許請求の範囲】
【請求項１】
筒状をなす周部と、
該周部の一側の開口を塞ぐ底部と
を備え、
液晶材料を収容する容器に設けた筒口に前記周部を被せ、前記筒口を前記底部により覆う蓋体において、
前記周部の内面に前記底部と斜行する方向に設けられ、前記周部の内側を前記底部の側の第１空間と前記底部の反対側の第２空間とに仕切る仕切板を備え、
前記周部の付近、かつ前記仕切板の前記底部に最も近接した部分に、前記第１空間と第２空間とを連通する連通部が設けられている
ことを特徴とする蓋体。
【請求項２】
前記仕切板は、前記連通部を中心とし、前記底部側に窪んだ漏斗状をなす
ことを特徴とする請求項１に記載の蓋体。
【請求項３】
前記仕切板の前記底部に最も近接した部分に、前記第１空間内で前記周部から内向きに張り出す張出部を備え、
前記連通部は前記張出部に設けられている
ことを特徴とする請求項１又は請求項２に記載の蓋体。
【請求項４】
前記連通部は貫通孔又はスリットである
ことを特徴とする請求項１から請求項３までのいずれか１つに記載の蓋体。
【請求項５】
前記底部は前記周部から着脱可能に構成されている
ことを特徴とする請求項１から請求項４までのいずれか１つに記載の蓋体。
【請求項６】
前記底部は有底円筒状をなし、
前記周部は円筒状をなし、
前記底部は該底部の開口側内周が前記周部の一端部外周に螺合することにより着脱可能に構成されている
ことを特徴とする請求項５に記載の蓋体。
【請求項７】
前記容器内の液晶材料に含まれる異物を、該容器の筒口に装着した請求項１から請求項６までのいずれか１つに記載の蓋体により捕捉する異物捕捉方法であって、
前記蓋体の装着側が下側となるように前記容器を倒立させ、
前記液晶材料内で沈降する異物を、前記仕切板に沿って移動させて前記連通部を経て前記第１空間内に導入し、該第１空間内に捕捉する
ことを特徴とする異物捕捉方法。
【請求項８】
前記容器を倒立させた場合、該容器を振動させる
ことを特徴とする請求項７に記載の異物捕捉方法。
【請求項９】
前記容器を倒立状態から上下を逆転させる
ことを特徴とする請求項７又は請求項８に記載の異物捕捉方法。
【国際調査報告】
2015125244.tif 000010
2015125244.tif 000011
2015125244.tif 000012
2015125244.tif 000013
2015125244.tif 000014
2015125244.tif 000015
2015125244.tif 000016
2015125244.tif 000017